(57)【要約】【課題】  本発明は、メンテナンスモニタリング機能を持つ電子制御装置と、前記電子制御装置と外部貯蔵装置との間の有無線データ入出力のための接続インタフェースとを備えた建設機械に用いられる建設機械のスターターキーに関するものである。【解決手段】  本発明による建設機械のスターターキーは、建設機械のキー孔に挿入されるキー胴体及び建設機械の接続インタフェースに連結され、電子制御装置とのデータ入出力が可能であり、電子制御装置から伝送されたデータが貯蔵されるキーケースを包含することによって、建設機械のスターターキーに保存された建設機械の整備データをメンテナンス情報として活用することから、建設機械メンテナンス効率を格別に向上させることができる。【選択図】  図２
2006233744.tif 000002
【特許請求の範囲】
【請求項１】
メンテナンスモニタリング機能を持つ電子制御装置と、前記電子制御装置と外部貯蔵装置との間の有無線データ入出力のための接続インタフェースとを備えた建設機械に用いられる建設機械のスターターキーであって、
前記建設機械のキー孔に挿入されるキー胴体及び
前記建設機械の接続インタフェースに連結され、前記電子制御装置とのデータ入出力が可能であり、前記電子制御装置から伝送されたデータが貯蔵されるキーケースを含んで構成されることを特徴とする建設機械のスターターキー。
【請求項２】
前記キーケースは、
前記キーケースの外部に配設され、前記建設機械の接続インタフェースに挿入される電子制御装置接続端子と、
前記キーケースの外部に配設され、データ入出力のためにパーソナルコンピュータの入出力端子に挿入されるＰＣ接続端子と、
前記電子制御装置接続端子及び前記ＰＣ接続端子を介してデータの入出力を制御する入出力制御部及び
前記入出力制御部の制御に従って、前記電子制御装置接続端子及び前記ＰＣ接続端子を介して伝送されたデータが貯蔵されるメモリを含んで構成されることを特徴とする請求項１に記載の建設機械のスターターキー。
【請求項３】
前記キー胴体は、前記建設機械の接続インタフェースに接続される電子制御装置接続用接点部をさらに包含しており、
前記キーケースは、前記キーケース外部に配設され、データ入出力のためにパーソナルコンピュータの入出力端子に挿入されるＰＣ接続端子と、
前記電子制御装置接続用接点部及び前記ＰＣ接続端子を介してデータの入出力を制御する入出力制御部及び
前記入出力制御部の制御によって、前記電子制御装置接続端子及び前記ＰＣ接続端子を介して伝送されたデータが貯蔵されるメモリを含むことを特徴とする請求項１に記載の建設機械のスターターキー。
【請求項４】
前記キーケースは、前記キーケース内に位置し、前記建設機械の接続インタフェース及びパーソナルコンピュータの無線データインタフェースとスターターキーとの間の無線データ通信を制御するブルートゥース制御部と、
前記ブルートゥース制御部に電源を供給する電源部と、
前記電子制御装置及びパーソナルコンピュータとスターターキーとの間の無線データ送受信を制御する送受信制御部及び
前記ブルートゥース制御部の制御によって、前記送受信制御部を介して伝送されたデータが貯蔵されるメモリを含むことを特徴とする請求項１に記載の建設機械のスターターキー。
【請求項５】
メンテナンスモニタリング機能を持つ電子制御装置と、前記電子制御装置と外部貯蔵装置との間の有無線データ入出力のための接続インタフェースとを備えた建設機械に使用される建設機械スターターキーを用いた建設機械メンテナンスシステムであって、
有無線データ通信手段を備え、データの貯蔵及び入出力が可能な建設機械のスターターキーと、
前記スターターキーと有無線データ通信が可能であり、前記電子制御装置から出力される建設機械データを前記スターターキーに伝送する建設機械及び、
前記スターターキーと有無線通信が可能であり、前記スターターキーに貯蔵された建設機械データを前記スターターキーから受信しかつ分析を行い、内蔵された建設機械整備プログラムを用い、前記分析済みのデータに基づいた前記電子制御装置の診断及び前記建設機械のメンテナンス情報を提供するパーソナルコンピュータを含むことを特徴とする建設機械のスターターキーを用いた建設機械メンテナンスシステム。
【請求項６】
ネットワークを介して前記パーソナルコンピュータに接続され、前記パーソナルコンピュータから受信した建設機械データと、前記電子制御装置の診断情報及び前記建設機械のメンテナンス情報とを分析することによって、必要とされる整備情報を前記パーソナルコンピュータに伝送し、前記建設機械のスターターキーに貯蔵させるようにする中央サービスセンターサーバーをさらに含むことを特徴とする請求項５に記載の建設機械のスターターキーを用いた建設機械メンテナンスシステム。 
【請求項７】
前記パーソナルコンピュータは、前記中央サービスセンターサーバーへサービス要請を行うことができるサービス要請手段をさらに包含し、
前記中央サービスセンターサーバーは、建設機械部品の在庫現況及び入出庫日程が保存された部品データベース及び
前記パーソナルコンピュータから整備サービスの要請を受信し、前記部品データベースを参照とし、部品現況に応じるサービス日程を前記パーソナルコンピュータに伝送するサービス日程決定手段をさらに含むことを特徴とする請求項６に記載の建設機械のスターターキーを用いた建設機械メンテナンスシステム。
【発明の詳細な説明】
【技術分野】
【０００１】
本発明は、建設機械のスターターキーを用いたメンテナンスシステムに関するものであって、さらに詳しくは、建設機械の電子制御装置及びパーソナルコンピュータ(以下、パソコンという)とのデータ入出力が可能な建設機械のスターターキーに、建設機械から生じ得るデータを貯蔵させ、該貯蔵されたデータをオフ−ラインとオン−ライン上で分析を行うことによって、建設機械に対する診断を可能とする建設機械のスターターキー及びこれを用いた建設機械メンテナンスシステムに関する。
【背景技術】
【０００２】
近年、油圧ショベルのような建設用作業機械(以下、建設機械という)には、作業上の便宜を図ると共に、高精度の制御及び安全性を確保するべく、電子制御装置を用いることが一般化されつつある。
【０００３】
また、最近、建設機械には、電子制御装置に入力される各駆動部位のセンサー値に基づいて、建設機械の様態をオペレータにディスプレイしてくれる装置表示ユニット(ＭＤＵ)が備えられるようになってきた。
【０００４】
かかる電子制御装置が多くなるほど、オペレータは、便利で且つ安全な作業環境下で建設機械の作業を行うことができるため、建設機械に備えられる電子制御装置の数は日ごとに増加している趨勢である。
【０００５】
そこで、建設機械診断用の装備を建設機械に連結することから、速やかに故障部位を診断し、整備するという技術が適用されている。
【０００６】
従来の建設機械メンテナンスシステムは、現場整備担当者が当該作業現場まで行って、建設機械の電子制御装置に接続し得るパソコンなどのような診断装置を用いて建設機械の検査を行い、且つ、様々センサー装備などを活用することから、建設機械をチェックし、当該部品の異常有無をデータ又は直感で判断することによって、当該部品を交換するといった整備活動を行うシステムから構成されていた。
【０００７】
しかしながら、従来の建設機械メンテナンスシステムによれば、当該部品の交換が決定されてから、交換部品の在庫状況を調査し、納期時間に合わせて再び作業現場を訪問して部品を交換しなければならなかったため、時間的且つ経済的に多くの費用が費やされるという問題点があった。
【０００８】
かかる問題点を解決するために、最近、常用無線通信(低軌道衛星又は携帯端末機など)を用いて装備の様態及び故障診断データを確保することによって、当該装備期間を最小化するのに活用しようとする方案等が提示されている。
【０００９】
しかしながら、大都市近郊で建設機械の作業が行われる場合には、常用無線通信の活用に差し支えないが、通常、建設機械は、都心から離れた山岳地域の最低点(掘削機の場合、谷地面下で掘砂採取作業)で作業を行う場合が多いため、通信障害が生じる場合には、かかる種類のサービスが円滑に行われにくいという問題点をも抱えており、且つ、常用無線通信は、通信量に相応する高コストを招く。
【発明の開示】
【発明が解決しようとする課題】
【００１０】
従って、本発明は、かかる従来技術の問題点に鑑みてなされたものであり、建設機械及びパソコンと有無線通信が可能であり、建設機械及びパソコンから受信されたデータの貯蔵が可能な建設機械のスターターキー及びこれを用いた建設機械メンテナンスシステムを提供することに該目的がある。
【課題を解決するための手段】
【００１１】
前記目的を達成するために、本発明の望ましい一実施例によれば、メンテナンスモニタリング機能を持つ電子制御装置と、前記電子制御装置と外部貯蔵装置との間の有無線データ入出力のための接続インタフェースとを備えた建設機械に用いられる建設機械のスターターキーであって、前記建設機械のキー孔に挿入されるキー胴体及び前記建設機械の接続インタフェースに連結され、前記電子制御装置とのデータ入出力が可能であり、前記電子制御装置から伝送されたデータが貯蔵されるキーケースを含むことを特徴とする建設機械のスターターキーが提供される。
【００１２】
前記目的を達成するために、本発明によれば、メンテナンスモニタリング機能を持つ電子制御装置と、前記電子制御装置と外部貯蔵装置との間の有無線データ入出力のための接続インタフェースとを備えた建設機械に使用される建設機械のスターターキーを用いた建設機械メンテナンスシステムであって、前記建設機械のキー孔に挿入されるキー胴体及び前記建設機械の接続インタフェースに連結され、前記電子制御装置とのデータ入出力が可能であり、前記電子制御装置から伝送されたデータが貯蔵されるキーケースを含む建設機械のスターターキーと、前記スターターキーと有無線データ通信が可能であり、前記電子制御装置から出力される建設機械データを前記スターターキーに伝送する建設機械及び、前記スターターキーと有無線通信が可能であり、前記スターターキーに貯蔵された建設機械データを前記スターターキーから受信しかつ分析を行い、内蔵されていた建設機械整備プログラムを用いて前記分析済みのデータに基づいた前記電子制御装置の診断及び前記建設機械のメンテナンス情報を提供するパソコンとを含むことを特徴とする建設機械のスターターキーを用いた建設機械メンテナンスシステムが提供される。
【発明の効果】
【００１３】
かかる構成を有する本発明によれば、以下のような作用及び効果を奏する。
建設機械のデータを建設機械スターターキーに貯蔵して、これをパソコンに伝送することによって、建設機械の状態を簡単かつ容易に診断し得るという利点がある。また、パソコンに連結されているネットワークを介して中央サービスセンターサーバーへ建設機械に対するデータを伝送することから、精度良く診断を行うことが可能となる。
【００１４】
また、本発明によれば、オペレータにとって必要な時にネットワークを介して中央サービスセンターへサービスの要請を行うことができるため、無線通信を行いにくい遠隔地でも円滑にかつ高効率に建設機械の整備作業を行うことができる。
【００１５】
さらに、本発明によれば、中央サービスセンターの整備担当者が中央サービスセンターサーバーに伝送されてきた建設機械データを基に装備の状態及び故障診断状況を予め認知し、これに対応するサービス方法や部品などを用意することによって、建設機械の持ち主との整備約束時間を守りながらも、一括処理が可能となるので、建設機械のメンテナンス効率を格別に向上させることができる。
【発明を実施するための最良の形態】
【００１６】
以下、本発明の望ましい実施例を添付図面に基づいて説明するが、これは本発明の属する技術分野において通常の知識を有する者が容易に実施し得る程度内にて詳細に説明するためのものであって、これにより本発明の技術的思想及び範疇が限定されることを意味するのではない。
【００１７】
図１ないし図３を参照として、本発明による望ましい一実施例を説明する。
図１は、本発明の望ましい一実施例による建設機械スターターキーを用いた建設機械メンテナンスシステムの概略を示した構成図であり、図２は、本発明の望ましい一実施例による建設機械メンテナンスシステムのブロック図であり、図３Ａは、本発明の望ましい一実施例による建設機械スターターキーの構成図であり、且つ、図３Ｂは、本発明の望ましい一実施例による建設機械スターターキーと建設機械との結合関係を示す部分斜視図である。
【００１８】
図１に示されたように、本発明による建設機械スターターキーを用いた建設機械メンテナンスシステムは、中央サービスセンターサーバー１００、パソコン(パーソナルコンピュータ)１０４、建設機械スターターキー１０６、建設機械１０８を包含し得る。
【００１９】
図１の建設機械１０８は、図２に示されたように、メンテナンスモニタリング機能を持つ電子制御装置(ＥＣＵ：Ｅｌｅｃｔｒｏｎｉｃ  Ｃｏｎｔｒｏｌ  Ｕｎｉｔ)２２４と、接続インタフェース２２２を包含し得る。
【００２０】
建設機械に含まれた電子制御装置２２４は、各駆動装置に取り付けられたセンサーより駆動装置の情報を受信し、受信された情報に従って各駆動装置を制御することになる。
【００２１】
この際、電子制御装置２２４は、複数の下位電子制御装置、例えばエンジン部を制御するエンジン電子制御装置、メインポンプを制御するポンプ電子制御装置、冷却手段を制御する冷却電子制御装置などと、これを総括しかつ制御するメイン電子制御装置とから構成されるということは、当業者にとって自明である。
【００２２】
各駆動装置を制御する過程で、電子制御装置２２４は、各駆動装置の誤作動可否、エンジン及びメインポンプの誤作動可否、作動油の異常過熱可否など、建設機械１０８から生じ得るあらゆる事項をモニタリングをし、これに関する建設機械データを接続タインタフェース２２２を介して、建設機械のスターターキー１０６に貯蔵させることになる。
【００２３】
接続タインタフェース３１２は、図３Ｂに示されたように、建設機械のキー挿入部のキー孔３１０の上端に配設され、オペレータが、建設機械のスターターキー１０６を建設機械１０８に挿入すると、キー胴体３０８がキー孔３１０に挿入されると共に、電子制御装置接続端子３００が接続タインタフェース３１２に挿入できるように構成され得る。
【００２４】
スターターキー１０６が挿入されることから、スターターキーの電子制御装置接続端子３００と接続インタフェース３１２とが連結されると、接続インタフェース３１２は、スターターキー１０６との通信連結を確認した上で、スターターキー１０６とのデータ入出力を行うことになる。
【００２５】
この際、データ通信を具現するためのプロトコルが、ＲＳ２３２Ｃプロトコル、ＵＳＢプロトコルなどとして、様々構成し得ることは、本発明につき、通常の知識を有する者において、自明である。
【００２６】
図１の建設機械スターターキー１０６において、建設機械１０８及びパソコン１０４とのデータ入出力が可能であり、建設機械１０８及びパソコン１０４から受信されたデータが保存される。
【００２７】
さらに詳しくは、図３Ａに示されたように、建設機械スターターキー１０６は、キー胴体３０８と、電子制御装置接続端子３００、ＰＣ接続端子３０６、入出力制御部３０２及びメモリ３０４を含むキーケース３０７とを包含し得る。
【００２８】
図３Ａ及び図３Ｂに示されたように、電子制御装置接続端子３００は、キー胴体３０８の上側に配設され、オペレータが、キー胴体３０８をキー孔３１０に挿入すると共に、電子制御装置接続端子３００がキー孔３１０の上端に位置した接続インタフェース３１２に挿入できるように構成される。
【００２９】
入出力制御部３０２は、電子制御装置接続端子３００を介して接続インタフェース２２２との通信をチェックし、建設機械スターターキー１０６と建設機械１０８との間のデータ入出力を制御することになり、メモリ２２０は、入出力制御部２１８の制御によって、建設機械１０８から受信した情報を保存することになる。
【００３０】
建設機械の作業が終了されると、オペレータは、建設機械１０８の始動を止め、建設機械スターターキー１０６を建設機械１０８から分離することになる。この際、オペレータが、建設機械スターターキー１０６に保存されていた建設機械データをパソコン１０４に保存させることを所望したり、又は建設機械１０８に異常が生じたと判断し、これを診断してみたい場合は、建設機械のスターターキーのＰＣ接続端子３０６をパソコン１０４の接続インタフェース２０８に挿入することによって、建設機械スターターキー１０６をパソコン１０４に接続させることになる。
【００３１】
入出力制御部３０２は、ＰＣ接続端子３０６を介してパソコン１０４との通信をチェックし、建設機械スターターキー１０６とパソコン１０４との間のデータ入出力を制御することになり、且つ、メモリ２２０は、入出力制御部２１８の制御によって、パソコン１０８から受信した情報を貯蔵することになる。
【００３２】
この際、ＰＣ接続端子３０６を、ＵＳＢプロトコルなどのような一般パソコンから支援されるプロトコル及びポット規格に準じて構成する場合、別の連結ケーブルを不要としながら、そのままパソコンの当該ポットに挿入することによって、簡単かつ容易に用いることができる。
【００３３】
図１のパソコン１０４は、図２に示されたように、接続インタフェース２０８及び通信制御部２０６を含むことができる。接続インタフェース２０８は、建設機械スターターキー１０６が挿入され、パソコン１０４と建設機械スターターキー１０６との間のデータ入出力通路として用いられる。
【００３４】
通信制御部２０６は、パソコン１０４と、パソコン１０４にネットワーク１０２を介して連結された中央サービスセンターサーバー１００との間のデータ通信を制御する。
【００３５】
また、図２に示されたように、パソコンには建設機械のアフターサービスプログラム２１０が設けられかつ運営されるが、パソコンに設けられて実行される建設機械アフターサービスプログラム２１０は、サービスマニュアル提供メニュー２１２、電子制御装置診断メニュー２１４、サービス要請メニュー２１６に分けられて、パソコンのモニタにディスプレイされる。
【００３６】
サービスマニュアル提供メニュー２１２は、建設機械スターターキーに保存された建設機械データを分析し、該分析結果に相応するサービスマニュアルをオペレータに提供することによって、オペレータが自ら簡単な整備や応急措置を講ずることができるようにする。
【００３７】
電子制御装置診断メニュー２１４は、接続インタフェース２０８を介して建設機械スターターキー１０６に保存された電子制御装置及び建設機械データを受信し、建設機械の様態を診断して、適切な対処方案をオペレータに知らせることになる。
【００３８】
診断の結果、専門の整備担当者によるサービスが必要である場合には、自動にサービス要請メニュー２１６が実行でき、ネットワーク１０２を介して中央サービスセンターサーバー１００に整備サービスを要請し得ることになる。
【００３９】
オペレータがサービス要請メニュー２１６を実行させると、パソコン１０４は、ネットワーク１０２を介して建設機械データと診断情報及びサービス要請情報とを中央サービスセンターサーバー１００へ伝送することになり、中央サービスセンターサーバー１００から建設機械診断結果及び複数のサービス日程を受信し、モニタにディスプレイすることになる。
【００４０】
オペレータが、モニタにディスプレイされる複数の整備サービス日程を確認し、都合の良いサービス日程を選択すると、パソコン１０４は、オペレータの選択したサービス日程を中央サービスセンターサーバー１００へ伝送することによって、整備サービス日程が確定できる。
【００４１】
中央サービスセンターサーバー１００は、ネットワーク１０２を介してパソコン１０４に連結され、パソコン１０４を通じて建設機械スターターキー１０６に保存された建設機械データを受け、建設機械１０８の様態を診断する。且つ、パソコン１０４を通じて建設機械の持ち主から整備サービスの要請を受けた場合、当該建設機械のサービス日程を決定することになる。
【００４２】
図２に示されたように、中央サービスセンターサーバー１００は、サービス日程決定手段２００、建設機械診断手段２０２、部品データベース２０４を包含し得る。
【００４３】
部品データベース２０４には、部品の在庫現況及び入庫予定日がリアルタイムで保存できる。
【００４４】
建設機械診断手段２０２は、パソコン１０４から受信した建設機械データと診断情報とを基に既存の整備ケース等を比較しながら、より正確な診断結果及び適切な整備方法論を提示することになる。
【００４５】
サービス日程決定手段２００は、パソコン１０４からサービス要請が受信された場合、建設機械診断手段２０２の診断結果と、部品データベース２０４の部品現況及び内部に保存されている整備担当者の整備日程とを参照としながら、できるだけ複数の整備サービス日程をパソコン１０４に伝送することになる。
【００４６】
オペレータが、パソコンのモニタにディスプレイされる複数のサービス日程のうち一つを選択すると、パソコン１０４は、これを中央サービスセンターサーバー１００に伝送することになり、これを受信した中央サービスセンターサーバー１００は、整備サービス日程を確定する。
【００４７】
図４は、本発明の望ましい他の実施例による建設機械スターターキーの構成図である。図４に示されたように、本発明による建設機械スターターキーは、電子制御装置接続用接点部４００が設けられたキー胴体３０８と、入出力制御部３０２と、メモリ３０４と、ＰＣ接続端子３０６を含むキーケース３０７とを包含し得る。
【００４８】
図３に示されたように、本発明による建設機械スターターキーは、キーケース３０７上に電子制御装置接続端子３００が配設された構成を持つが、図４に示された建設機械のスターターキーは、建設機械の接続インタフェース２２２に接続される接続部がキー胴体３０８上の電子制御装置接続用接点部４００として具現されかつ構成される。従って、建設機械の接続インタフェース２２２が、建設機械のキー孔３１０内部に配設されるべきである。
【００４９】
図５は、本発明の望ましい他の実施例による建設機械スターターキーの構成図である。
【００５０】
図５に示されたように、本発明による建設機械スターターキーは、ブルートゥース制御部５００、送受信制御部５０２、メモリ５０４及び電源部５０６を包含し得る。
【００５１】
ブルートゥースを用いて、建設機械のスターターキー１０６と、建設機械１０８及びパソコン１０４との間の近距離無線通信が行われる。
【００５２】
ブルートゥース制御部５００は、電源部５０６から電源の供給を受け、送受信制御部５０２と、メモリ５０４とを制御することになる。この際、建設機械１０８に挿入されるキー胴体３０８を介して電源部５０６の充填が可能となるように構成し得る。
【００５３】
送受信制御部５０２は、ブルートゥース制御部５００の制御によって、メモリ５０４と建設機械１０８及びパソコン１０４との間の無線データ送受信を制御することになる。
【００５４】
ブルートゥースアンテナは、送受信制御部５０２に含まれて構成され、ブルートゥース制御部５００と、送受信制御部５０２及びメモリ５０４が一つのチップからなることも可能である。
【００５５】
前述したように、建設機械スターターキー１０６を無線通信可能に構成する場合、建設機械１０８及びパソコン１０４においても当該無線通信プロトコルを支援するように構成しなければならない。
【００５６】
したがって、ブルートゥースプロトコルを用いて無線通信可能に本発明を構成する場合には、建設機械１０８及びパソコン１０４内にブルートゥース制御部及びブルートゥース送受信部が備えられることは、当業者にとって自明である。
【００５７】
図６Ａは、本発明の望ましい一実施例による建設機械スターターキーと建設機械電子制御装置間のデータ入出力過程を示したフローチャートである。
【００５８】
以下では、本発明による建設機械スターターキーと建設機械電子制御装置との間のデータ入出力過程を図６Ａを参照として詳しく説明する。
【００５９】
オペレータが、建設機械１０８を駆動させるべく建設機械スターターキー１０６を建設機械１０８に挿入し、始動させる(Ｓ６００)と、スターターキーの入出力制御部２１８は、建設機械の電子制御装置２２４との通信状態を確認することになる(Ｓ６０２)。
【００６０】
スターターキー１０６と電子制御装置２２４との間の通信に異常がなければ、 スターターキーの入出力制御部２１８は、接続インタフェース２２２を介して 電子制御装置２２４とスターターキー内のメモリ２２０との間のデータ通信を始めることになり、建設機械に異常などが生じた場合は、該データをメモリ２２０に保存させる(Ｓ６０４)。
【００６１】
かかるデータ通信過程は、建設機械１０８の始動が止まる瞬間まで続けて行われる。
【００６２】
オペレータが、建設機械１０８の始動を止め、建設機械のスターターキー１０６を分離させると、建設機械スターターキー１０６と建設機械１０８との間のデータ通信が終了されることになる(Ｓ６０６)。
【００６３】
図６Ｂは、本発明の望ましい一実施例による建設機械スターターキーと外部装備間のデータ入出力過程を示したフローチャートである。本発明による建設機械スターターキーと外部装備(例えばパソコンなど)との間のデータ入出力過程を図６Ｂにしたがって詳しく説明すると、以下の通りである。
【００６４】
オペレータが、建設機械１０８の作業を終了した後、建設機械スターターキー１０６を外部装備(例えば、パソコン１０４など)に接続させると(Ｓ６１０)、スターターキーの入出力制御部２１８は、メモリ２２０に保存されている建設機械データを接続インタフェース２０８を介してパソコン１０４に伝送させることになる(Ｓ６１２)。
【００６５】
パソコン１０４などのような外部装備は、スターターキー１０６から受信した建設機械データを分析し、オペレータに建設機械の整備情報を出力し、サービスセンターへの連結要請有無を判断する(Ｓ６１４)。
【００６６】
判断の結果、サービスセンターへの連結要請が受信された場合には、ネットワーク１０２を介して連結された中央サービスセンターサーバー１００へ建設機械データを伝送し、サービス情報を受信することになる(Ｓ６１６)。
【００６７】
一方、判断の結果、サービスセンターへの連結要請が受信されなかった場合には、パソコン１０４は、スターターキー１０６に保存された建設機械データに基づいて判断した建設機械サービス情報を更新し、且つ、保存することになり(Ｓ６１８)、新しいデータをスターターキー１０６に伝送し、スターターキーのメモリ２２０に保存させる(Ｓ６２０)。
【００６８】
オペレータが、建設機械スターターキー１０６をパソコン１０４から分離させると、建設機械のスターターキー１０６と外部装備と間のデータ入出力過程が終了されることになる(Ｓ６２２)。
【図面の簡単な説明】
【００６９】
【図１】本発明の望ましい一実施例による建設機械メンテナンスシステムの概略を示した構成図である。
【図２】本発明の望ましい一実施例による建設機械メンテナンスシステムのブロック図である。
【図３Ａ】本発明の望ましい一実施例による建設機械スターターキーの構成図である。
【図３Ｂ】本発明の望ましい一実施例による建設機械スターターキーと建設機械との結合関係を示す部分斜視図である。
【図４】本発明の望ましい他の実施例による建設機械スターターキーの構成図である。
【図５】本発明の望ましい他の実施例による建設機械スターターキーの構成図である。
【図６Ａ】本発明の望ましい一実施例による建設機械スターターキーと建設機械電子制御装置との間のデータ入出力過程を示したフローチャートである。
【図６Ｂ】本発明の望ましい一実施例による建設機械スターターキーと外部装備間のデータ入出力過程を示したフローチャートである。
【符号の説明】
【００７０】
１００    中央サービスセンターサーバー
１０２    ネットワーク
１０４    パソコン(パーソナルコンピュータ)
１０６    建設機械スターターキー
１０８    建設機械
２００    サービス日程決定手段
２０２    建設機械診断手段
２０４    部品データベース
２０６    通信制御部
２０８    接続インタフェース
２１０    建設機械アフターサービスプログラム
２１２    サービスマニュアルメニュー
２１４    電子制御装置診断メニュー
２１６    サービス要請メニュー
２１８    入出力制御部
２２０    メモリ
２２２    接続インタフェース
２２４    電子制御装置
３００    電子制御装置接続端子
３０２    入出力制御部
３０４    メモリ
３０６    ＰＣ接続端子
３０７    キーケース
３０８    キー胴体
３１０    キー孔
３１２    接続インタフェース
４００    電子制御装置接続用接点部
５００    ブルートゥース制御部
５０２    送受信制御部
５０４    メモリ
５０６    電源部
【図１】
2006233744.tif 000003
【図２】
2006233744.tif 000004
【図３Ａ】
2006233744.tif 000005
【図３Ｂ】
2006233744.tif 000006
【図４】
2006233744.tif 000007
【図５】
2006233744.tif 000008
【図６Ａ】
2006233744.tif 000009
【図６Ｂ】
2006233744.tif 000010